【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
ブースト供給電圧より高くなるように設定可能な増幅器供給電圧を生成すること、
第１のヘッドルーム電圧とトラッキング供給電圧の第１のピーク値との合計が前記増幅器供給電圧より大きいことを検出することに応答してイネーブル信号をオンにすることと、
第２のヘッドルーム電圧と前記トラッキング供給電圧の第２のピーク値との合計を備える目標電圧を生成することと、
オンされている前記イネーブル信号に応答して前記増幅器供給電圧を前記目標電圧にドライブすることと、
を備える、方法。
【請求項２】
トラッキング供給電圧を出力するように構成される増幅器に前記増幅器供給電圧を供給することと、
出力電圧を生成するために入力電圧を増幅するように構成される電力増幅器に前記トラッキング供給電圧を供給することと、
を更に備え、ここにおいて前記増幅器は前記電力増幅器の出力電圧のエンベロープをトラッキングするエンベロープ信号から前記トラッキング供給電圧を生成するように構成される、請求項１の方法。
【請求項３】
所定のイネーブルオン期間に前記イネーブル信号をオンに保つことを更に備える、請求項１の方法。
【請求項４】
第１の所定の時間間隔に渡り前記トラッキング供給電圧のピーク電圧を検出することによって前記第１のピーク値を生成することと、
前記第１の所定の時間間隔とは異なる第２の所定の時間間隔に渡って前記トラッキング供給電圧の前記ピーク電圧を検出することによって前記第２のピーク値を生成することと、
を更に備える、請求項１の方法。
【請求項５】
前記増幅器供給電圧が前記ブースト供給電圧より高くなるように設定されないときに、前記第１のヘッドルーム電圧と前記増幅器供給電圧より大きい前記第１のピーク値との合計を検出することを更に備える、請求項１の方法。
【請求項６】
ブースト供給電圧より高くなるように設定可能な増幅器供給電圧を生成するための手段と、
第１のヘッドルーム電圧とトラッキング供給電圧の第１のピーク電圧との合計が前記増幅器供給電圧より大きいことを検出することに応答してイネーブル信号をオンにするための手段と、
第２のヘッドルーム電圧と前記トラッキング供給電圧の第２のピーク電圧との合計を備える目標電圧を生成するための手段と、
オンされている前記イネーブル信号に応答して前記増幅器供給電圧を前記目標電圧にドライブするための手段と、
を備える、請求項１の装置。
【請求項７】
トラッキング供給電圧を出力するように構成される増幅器に前記増幅器供給電圧を供給するための手段と、
出力電圧を生成するために入力電圧を増幅するように構成される電力増幅器に前記トラッキング供給電圧を供給するための手段と、ここにおいて前記増幅器は前記電力増幅器の出力電圧のエンベロープをトラッキングするエンベロープ信号から前記トラッキング供給電圧を生成するように構成される、請求項６の装置。
【請求項８】
所定のイネーブルオン期間の間、前記イネーブル信号をオンに保持するための手段を更に備える、請求項６の装置。
【請求項９】
第１の所定の時間間隔に渡り前記トラッキング供給電圧のピークを検出することによって前記第１のピーク値を生成するための手段と、
前記第１の所定の時間間隔とは異なる第２の所定の時間間隔に渡って前記トラッキング供給電圧の前記ピークを検出することによって前記第２のピーク値を生成するための手段と、
を更に備える請求項６の装置。
【請求項１０】
前記増幅器供給電圧が前記ブースト供給電圧より高くなるように設定されないときに前記第１のヘッドルーム電圧と前記増幅器供給電圧より大きい前記第１のピーク値との合計を検出するための手段を更に備える、請求項６の装置。
【請求項１１】
前記増幅器はクラスＡＢ増幅器である、請求項６に記載の装置。
【請求項１２】
前記第２のピーク電圧及び前記第１のピーク電圧が同一であり、及び／又は前記第１及び第２のヘッドルーム電圧が互いに異なる、請求項６に記載の装置。
【請求項１３】
前記トラッキング供給電圧に結合されるバックコンバーとする手段を更に備える、請求項６の装置。
【請求項１４】
前記イネーブル信号をオンにする手段は前記増幅器供給電圧を駆動するための前記手段がデセイブルであるときに前記増幅器供給電圧より大きい前記合計を検出するように構成される、請求項６の装置。
【手続補正２】
【補正対象書類名】明細書
【補正対象項目名】００５１
【補正方法】変更
【補正の内容】
【００５１】
[0057] 開示された典型的な実施形態の上記説明は、いかなる当業者であっても、本発明の製造又は使用を可能にするように提供される。これらの態様に対するさまざま改良は当業者に容易に明らかとなり、ここに定義された一般的な原理は、本開示の趣旨又は範囲を逸脱することなく、他の態様に適用されうる。従って、本開示は、ここに示された態様に限定されるようには意図されず、ここに開示される原理及び新規な特徴と一致する最も広い範囲を与えられることとなる。
以下に本件出願当初の特許請求の範囲に記載された発明を付記する。
［１］  第１のヘッドルーム電圧とトラッキング供給電圧のイネーブルピークとの合計が増幅器供給電圧より大きいことを検出することに応答してイネーブル信号をオンするように構成されるイネーブル生成ブロックと、第２のヘッドルーム電圧と前記トラッキング供給電圧の目標ピークとの前記合計を備える目標電圧を生成するように構成される目標生成ブロックと、を備え、ここにおいて、ブーストコンバータが、前記ブーストコンバータに結合されるブースト供給電圧より高い前記増幅器供給電圧を生成するように構成可能であり、かつここにおいて前記ブーストコンバータがオンされている前記イネーブル信号に応答してイネーブルにされ、かつイネーブルにされたときに、前記増幅器供給電圧を前記目標電圧にドライブするように構成される、装置。
［２］  前記増幅器供給電圧によって供給される増幅器を更に備え、ここにおいて前記増幅器は前記トラッキング供給電圧を出力するように構成されるクラスＡＢ増幅器であり、前記トラッキング供給電圧は出力電圧を生成するために入力電圧を増幅するように構成された電力増幅器に供給される、［１］の装置。
［３］  前記電力増幅器を更に備え、ここにおいて前記増幅器は前記電力増幅器出力電圧の前記エンベロープをトラッキングするエンベロープ信号から前記トラッキング供給電圧を生成するように構成される、［２］の装置。
［４］  前記トラッキング供給電圧の前記イネーブルピークが第１の所定の時間間隔に渡って前記トラッキング供給電圧の前記ピークに対応する、［１］の装置。
［５］  前記トラッキング供給電圧の前記目標ピークが第２の所定の時間間隔に渡って前記トラッキング供給電圧の前記ピークに対応し、ここにおいて前記第１及び前記第２の所定の時間間隔が互いに異なる、［４］の装置。
［６］  前記目標ピーク及び前記イネーブルピークが同一である、［４］の装置。
［７］  前記第１及び第２のヘッドルーム電圧が互いに異なる、［１］の装置。
［８］  前記イネーブル生成ブロックが所定のイネーブルオン期間に前記イネーブル信号をオンするように構成される、［１］の装置。
［９］  前記トラッキング供給電圧に結合されるバックコンバータを更に備える、［１］の装置。
［１０］  前記イネーブル生成ブロックが、前記ブーストコンバータがデセイブルであるときに前記増幅器供給電圧より大きい前記合計を検出するように構成される、［１］の装置。
［１１］  ブースト供給電圧より高くなるように設定可能な増幅器供給電圧を生成すること、第１のヘッドルーム電圧とトラッキング供給電圧のイネーブルピークとの合計が前記増幅器供給電圧より大きいことを検出することに応答してイネーブル信号をオンにすることと、第２のヘッドルーム電圧と前記トラッキング供給電圧の目標ピークとの前記合計を備える目標電圧を生成することと、オンされている前記イネーブル信号に応答して前記増幅器供給電圧を前記目標電圧にドライブすることと、を備える、方法。
［１２］  トラッキング供給電圧を出力するように構成される増幅器に前記増幅器供給電圧を供給することと、出力電圧を生成するために入力電圧を増幅するように構成される電力増幅器に前記トラッキング供給電圧を供給することと、を更に備え、ここにおいて前記増幅器は前記電力増幅器出力電圧の前記エンベロープをトラッキングするエンベロープ信号から前記トラッキング供給電圧を生成するように構成される、［１１］の方法。
［１３］  所定のイネーブルオン期間に前記イネーブル信号をオンに保つことを更に備える、［１１の方法。
［１４］  第１の所定の時間間隔に渡り前記トラッキング供給電圧の前記ピークを検出することによって前記イネーブルピークを生成することと、前記第１の所定の時間間隔とは異なる第２の所定の時間間隔に渡って前記トラッキング供給電圧の前記ピークを検出することによって前記目標ピークに生成することと、を更に備える、［１１］の方法。
［１５］  前記増幅器供給電圧が前記ブースト供給電圧より高くなるように設定されないときに、前記第１のヘッドルーム電圧と前記増幅器供給電圧より大きい前記イネーブルピークとの合計を検出することを更に備える、［１１］の方法。
［１６］  ブースト供給電圧より高くなるように設定可能な増幅器供給電圧を生成するための手段と、第１のヘッドルーム電圧とトラッキング供給電圧のイネーブルピークとの合計が前記増幅器供給電圧より大きいことを検出することに応答してイネーブル信号をオンにするための手段と、第２のヘッドルーム電圧と前記トラッキング供給電圧の目標ピークとの合計を備える目標電圧を生成するための手段と、オンされている前記イネーブル信号に応答して前記増幅器供給電圧を前記目標電圧にドライブするための手段と、を備える、［１１］の装置。
［１７］  トラッキング供給電圧を出力するように構成される増幅器に前記増幅器供給電圧を供給するための手段と、出力電圧を生成するために入力電圧を増幅するように構成される電力増幅器に前記トラッキング供給電圧を供給するための手段と、ここにおいて前記増幅器は前記電力増幅器出力電圧の前記エンベロープをトラッキングするエンベロープ信号から前記トラッキング供給電圧を生成するように構成される、［１６］の装置。
［１８］  所定のイネーブルオン期間の間、前記イネーブル信号をオンに保持するための手段を更に備える、［１６］の装置。
［１９］  第１の所定の時間間隔に渡り前記トラッキング供給電圧の前記ピークを検出することによって前記イネーブルピークを生成するための手段と、前記第１の所定の時間間隔とは異なる第２の所定の時間間隔に渡って前記トラッキング供給電圧の前記ピークを検出することによって前記目標ピークに生成するための手段と、を更に備える［１６］の装置。
［２０］  前記増幅器供給電圧が前記ブースト供給電圧より高くなるように設定されないときに前記第１のヘッドルーム電圧と前記増幅器供給電圧より大きい前記イネーブルピークとの合計を検出するための手段を更に備える、［１６］の装置。